(57)【要約】【課題】  周辺空気変動により作られるノイズの影響を最少としながら、試験室内の圧力変動を測定するための改善されたプレチスモグラフを提供する。【解決手段】  空気流開口を備えた第一呼吸タコメータと第一変換器開口部を持つ試験室、空気流開口を備えた第二呼吸タコメータと第二変換器開口部を持つ参照室、及び前記第一と第二空気流開口と連通しているマニホールドを含み、前記マニホールドが外部空気流開口、及びこの外部空気流開口を第一と第二空気流開口に連結する通路を持ち、更に両方の呼吸タコメータに入る空気が前記外部空気流開口を通して入り、それにより差圧変換器に伝達されるデータのノイズを減らす。【選択図】図１
2007500067.tif 000002
【特許請求の範囲】
【請求項１】
ａ）第一空気流開口を持つ試験室；
ｂ）第二空気流開口を持つ参照室；及び
ｃ）前記第一及び第二空気流開口と連通しているマニホールド、
を含み、前記マニホールドが外部空気流開口、及び前記外部空気流開口を前記第一及び第二空気流開口に連結する通路を持つことを特徴とするプレチスモグラフ。
【請求項２】
前記マニホールドが前記第一及び第二空気流開口を覆うハウジングを含み、前記ハウジングが外部空気流開口及び前記外部空気流開口と前記第一及び第二空気流開口の間の通路を含むことを特徴とする請求項１に記載のプレチスモグラフ。
【請求項３】
前記マニホールドが前記第一空気流開口と連通している第一通路、及び前記第二空気流開口と連通している第二通路を含み、前記第一及び第二通路が共通外部空気流開口と連通していることを特徴とする請求項１に記載のプレチスモグラフ。
【請求項４】
前記二つの通路が実質的に同じ長さのものであることを特徴とする請求項３に記載のプレチスモグラフ。
【請求項５】
前記試験室と連通している第一変換器出口、及び前記参照室と連通している第二変換器出口を更に含むことを特徴とする請求項１に記載のプレチスモグラフ。
【請求項６】
前記試験室と前記参照室を分離する共通壁を更に含むことを特徴とする請求項１に記載のプレチスモグラフ。
【請求項７】
前記試験室が円筒状であることを特徴とする請求項１に記載のプレチスモグラフ。
【請求項８】
前記試験室と連通しているエアロゾルマニホールドを更に含むことを特徴とする請求項１に記載のプレチスモグラフ。
【請求項９】
ａ）円筒状外壁；
ｂ）前記円筒状外壁を試験室と参照室に分割する共通分離壁；
ｃ）前記試験室と連通している空気流開口を持つ第一呼吸タコメータ；
ｄ）前記参照室と連通している空気流開口を持つ第二呼吸タコメータ；及び
ｅ）前記第一及び第二呼吸タコメータの空気流開口と連通しているマニホールド；
を含み、前記マニホールドが外部空気流開口、及び前記外部空気流開口を前記二つの呼吸タコメータの二つの開口に連結する通路を持つことを特徴とするプレチスモグラフ。
【請求項１０】
前記マニホールドが前記二つの呼吸タコメータを覆うハウジングを含み、前記ハウジングが外部空気流開口及び前記外部空気流開口と前記二つの呼吸タコメータの二つの開口の間の通路を含むことを特徴とする請求項９に記載のプレチスモグラフ。
【請求項１１】
前記マニホールドが前記第一の呼吸タコメータの開口と連通している第一通路、及び前記第二の呼吸タコメータの開口と連通している第二通路を含み、前記第一及び第二通路が共通外部空気流開口と連通していることを特徴とする請求項９に記載のプレチスモグラフ。
【請求項１２】
前記二つの通路が実質的に同じ長さのものであることを特徴とする請求項１１に記載のプレチスモグラフ。
【請求項１３】
前記試験室と連通している第一変換器出口、及び前記参照室と連通している第二変換器出口を更に含むことを特徴とする請求項９に記載のプレチスモグラフ。
【請求項１４】
ａ）垂直円筒状外壁；
ｂ）前記円筒状外壁を試験室と参照室に分割する共通分離壁；
ｃ）前記円筒状外壁を覆う上部壁；
ｄ）前記上部壁に取り付けられた、前記試験室と連通している第一呼吸タコメータ；
ｅ）前記上部壁に取り付けられた、前記参照室と連通している第二呼吸タコメータ；及び
ｆ）外部空気入口、前記外部空気入口を前記第一呼吸タコメータに連結する第一通路、及び前記外部空気入口を前記第二呼吸タコメータに連結する第二通路を持つマニホールド；
を含むことを特徴とするプレチスモグラフ。
【請求項１５】
前記二つの通路が実質的に同じ長さのものであることを特徴とする請求項１４に記載のプレチスモグラフ。
【請求項１６】
前記試験室と連通している第一変換器出口、及び前記参照室と連通している第二変換器出口を更に含むことを特徴とする請求項１４に記載のプレチスモグラフ。
【請求項１７】
ａ）水平な円筒状外壁；
ｂ）前記円筒状外壁を試験室と参照室に分割する共通分離壁；
ｃ）前記円筒状外壁に取り付けられた、前記試験室と連通している第一呼吸タコメータ；
ｄ）前記円筒状外壁に取り付けられた、前記参照室と連通している第二呼吸タコメータ；及び
ｅ）前記第一及び第二呼吸タコメータを覆うハウジング；
を含み、前記ハウジングが外部空気入口、及び前記外部空気入口を前記第一及び第二呼吸タコメータに連結する通路を持つことを特徴とするプレチスモグラフ。
【請求項１８】
前記試験室と連通している第一変換器出口及び前記参照室と連通している第二変換器出口を更に含むことを特徴とする請求項１７に記載のプレチスモグラフ。
【発明の詳細な説明】
【技術分野】
【０００１】
本発明は小動物の非侵襲性肺試験のような空気体積の変動を測定するために使用されるプレチスモグラフに関し、特に変換器のノイズが実質的に低減され、試験データの正確度を改善するプレスチモグラフに関する。
【背景技術】
【０００２】
プレチスモグラフは試験室内の空気圧の変動に関するデータを集めるための研究で使用される。かかるデータの例はマウスのような小動物からの肺データである。大抵のプレチスモグラフは試験対象物を収容する試験室、参照室、及びこれらの二つの室に、例えば各室の開口部から変換器に延びるチューブを介して、連結された差圧変換器から構成される。両室は周辺空気、すなわち試験が実施されている部屋内の空気、と制限空気流開口または呼吸タコメータを通して、連通している。
【０００３】
試験室内の空気体積に変動が発生するとき、圧力変動が変換器により記録され、それは通常、記録されたデータを数字の形でまたはグラフとして表示する。試験室内の空気圧はまた、呼吸タコメータを通して試験室に入る空気の圧力の変動によって変動する。バックグラウンドノイズまたは単にノイズとして知られるこの非室起源の空気圧変動は記録されたデータの正確度に悪影響する。なぜなら変換器はノイズも測定するからである。
【０００４】
プレチスモグラフは一般に、試験室内に完全にまたは実質的に収容されたマウスのような小動物の肺活性を測定するために使用される。試験動物が吸い込んだりまたは吐き出すとき、空気体積の変動が圧力変動をもたらし、圧力変動は変換器により記録され、変換器は通常、記録されたデータを数字の形でまたはグラフとして表示する。
【０００５】
参照室の目的はノイズ影響を部分的に減らすことである。第二チューブは参照室出口から変換器まで延びる。変換器は同時に二つの室内の空気圧の変動を測定し、参照室測定値を動物室測定値から差し引く。結果として、正味圧力変動は本質的に試験動物の呼吸パターンに帰すことができる。好ましくは、試験及び参照室呼吸タコメータは外部空気パターンの変動を最少とするために互いに接近させられる。
【０００６】
小動物肺応答を測定するために使用される形式の代表的なプレチスモグラフが同じ出願人のＬｏｍａｓｋの米国特許５３７９７７７号に示されかつ記載されており、この特許の全開示はここに参考迄に組入れられる。
【０００７】
参照室は変換器測定プレチスモグラフのノイズの問題を部分的に処理するけれども、空気圧力差による変動はなお残る。従って、ある水準のノイズはなお発生し、それが特に鋭敏な測定において試験結果に悪影響する。従って、動物肺測定、並びに試験室内の空気体積変動の他の試験のために使用されるプレチスモグラフにおける周辺空気変動の影響を減らすための装置及び方法に対する要求がなお存在する。
【発明の開示】
【０００８】
発明の概要
本発明は周辺空気変動により作られるノイズの影響を最少としながら、試験室内の圧力変動を測定するための改善されたプレチスモグラフ及び方法を指向している。一般に、改善されたプレチスモグラフは試験対象物、例えば小動物を収容する試験室、参照室、変換器、及び二つの室に空気を供給する空気マニホールドから構成される。
【０００９】
試験室は試験対象物を収容するためのハウジングを含む。好ましくは、このハウジングは円筒状側壁、上部及び下部壁から形成される。空気流開口はハウジング壁内に配置され、圧力変動による試験室へのまたは試験室からの空気の流れを可能とする。空気流開口は呼吸タコメータまたは呼吸タコグラフであることができ、それは基本的に圧力低下を作るために開口を覆うスクリーンを含むことができる制限空気流開口である。
【００１０】
試験室はまた、室内の熱及び湿気を減らし、かつ試験動物が空気を再呼吸するのを防ぐために試験室を通して空気を引っ張る減圧源に連結されたバイアス空気出口を含む。もし試験ガスまたはエアロゾルが室中に挿入されるべきであるなら、試験室はまた、エアロゾル入口またはガスまたはエアロゾル源に連結可能な入口を持つマニホールド、及び試験室内の出口を含むことができる。プレチスモグラフが小動物を試験するのに使用されるとき、試験室はまた、動物をふん便及び尿から分離するために下部壁の上に間隔を置かれた多孔性床を含むことができる。
【００１１】
参照室は空気流開口を含み、それは圧力変動のため参照室に及び参照室から空気が流れるのを可能とするために、ハウジング壁内の呼吸タコメータであることができる。参照室は二つの室の空気流開口間の外部空気状態の変動を最少とするため試験室に接近させることが好ましい。例えば、二つの室は共通壁により分離されることができる。
【００１２】
二つの室はまた、差圧変換器を二つの室に連結するための出口または開口部を含む。例えば、二つの室中に壁を通して延びる開口部を持つプレチスモグラフの外壁にブロックが取り付けられることができる。そのときチューブはこの開口部から変換器に延びることができる。更に、変換器は空気体積の変動を示す空気圧の変動を記録するために、通常、増幅器を通して、記録装置に連結される。参照室内の空気変動の同時測定は外部空気圧の変動を測定値から部分的に差し引くことを可能とする。結果として、記録された測定値は試験室内の試験対象物により作られた実際の圧力変動を大きく反映する。
【００１３】
本発明によれば、試験室内の圧力変動の正確な読みに影響するノイズはプレチスモグラフへのマニホールドの追加により更に減少される。ここで使用される字句“マニホールド”は試験及び参照室中への空気流開口と連通するように適合した空気通路または導管、及びマニホールドの外部からこの通路中への外部空気流開口と連通するように適合した空気通路または導管を規定するために使用される。この通路は入口、別個に室の二つの開口及び共通外部開口に連結するチューブ、を取り囲むハウジングの形、または二つの室空気流開口及び外部空気流開口を連結するように材料の固体ブロック内に穿孔された導管の形であることができる。好ましくは、外部空気流開口から試験及び参照室空気流開口までの距離は略同じ距離であり、従って外部空気流開口に入る空気は試験及び参照室空気流開口に到達するためには略同じ移動距離を持つであろう。
【００１４】
このマニホールドの追加は更に外部空気の変動の影響を最少とすることが見出された。何故なら空気は共通開口から両室に入るからである。従って、外部空気が室中に別個の開口を通して直接入る従来技術の装置とは反対に、特にもし外部開口がそれぞれの室開口から略等距離にあるなら、マニホールド開口に入る空気のどのような変動も略同時に両室により等しく経験されるであろう。結果として、試験室圧力から参照室圧力の差し引きは被験者に帰することができる試験室内の圧力変動のノイズを含まない測定を本質的に提供する。
【００１５】
プレチスモグラフが製造される時点で、または後でアフターマーケットアクセサリーとして設置されることができるマニホールドの特定の構造は特定のプレチスモグラフの形状、特に室開口または呼吸タコメータの位置に依存して変わるであろう。的確な構造はまた、共通ハウジングまたは別個のチューブまたは導管が特別の用途に好適であるかどうかに依存するであろう。しかし、いずれにしても変換器による圧力の読みの正確性は特に高感度測定でここに述べたマニホールドの追加により顕著に改善される。
【００１６】
図面の簡略説明
図１は本発明の好適実施態様の透視図である。
図２は図１の実施態様の断面側面図である。
図３は増幅器を通して記録装置に取り付けられたプレチスモグラフ変換器の概略図である。
図４は本発明の別の実施態様の透視図である。
図５は図４の実施態様の断面側面図である。
図６は本発明のさらに別の実施態様の上面図である。
図７は図６に示されたマニホールドの側面図である。
図８は減衰効果を示す調整された呼吸タコメータのグラフである。
【発明を実施するための最良の形態】
【００１７】
発明の詳細な説明
以下の説明において、水平、直立、垂直、上、下、真下等のような字句は本発明を示すのに明確化の目的のためだけに使用されており、限定の語として取られるべきではない。図面は本発明を示す目的のためであり、縮尺どおりであることを意図していない。
【００１８】
図１及び２は概括的に１０で示されるプレチスモグラフから構成された本発明の好適実施態様を示し、それは試験室１２と参照室１４を含む。室１２と１４は共通分離壁１８により二つの室に分割されている共通円筒状壁１６を共有する。上部壁２０は参照室１４を覆う。共通壁１６の下部端は足部を付けたベース２４上に載る円筒状ベース壁２２中に嵌る。壁１６の外部周りのＯ−リング２６は壁１６とベース壁２２の間の密封を提供する。
【００１９】
上部壁２０上に取り付けられた試験室呼吸タコメータ３０は試験室１２内で終わるチューブ３４と連通する空気流入口３２を含む。スクリーン３６が入口３２とチューブ３４の間に配置され、試験室１２へのまたは試験室１２からの空気流に対し圧力低下を提供する。同様に、上部壁２０上にも取り付けられた参照室呼吸タコメータ３８は参照室１４中に開口する空気流開口４０と開口４０を覆うスクリーン４２を含む。
【００２０】
変換器ブロック４４は円筒状壁１６の外表面上に取り付けられ、分離壁１８にまたがっている。第一開口部４６がブロック４４を通して延び、試験室１２と連通し、一方第二開口部４８がブロック４４を通して延び、参照室１４と連通している。図３に概略的に示されるように、チューブ５０及び５２がそれぞれ開口部４６及び４８を差圧変換器５４に連結し、圧力変動を測定する。変換器５４は増幅器５６を通して記録装置５８に連結される。
【００２１】
プレチスモグラフ１０はまた、エアロゾルマニホールド６０を含み、ガスまたはエアロゾルを試験室１２、水瓶開口部６２、及びバイアス空気排出口６４中に導入する。
【００２２】
測定ノイズを更に最少とするために、プレチスモグラフ１０はまた、概括的に７０で示されるマニホールドを含み、それはチューブ７２及び７４のそれぞれを通して呼吸タコメータ３０及び３８中への空気流開口と連通するのに適合した分割空気通路を持つ。マニホールド７０はまた、外部空気流開口７８を含み、外部空気が開口７８を通して引き込まれ、次いでチューブ７２と７４の間に分割され、室１２と１４に入る。結果として、開口７８に入る空気の如何なる変動も両室に等しく伝達されるであろうし、もたらされるノイズの削減を可能とするであろう。示されるように、チューブ７２及び７４は実質的に同じ長さであり、従って如何なる変動も略同時に二つの室に入る。吸引カップ８０はチューブ７２及び７４の末梢端をそれぞれ呼吸タコメータ３０及び３８に固定する。
【００２３】
図４及び５は概括的に１００で示されるプレチスモグラフを示し、そこでは試験室１０２及び参照室１０４は水平方向に向いている。先に述べたプレチスモグラフのように、室１０２及び１０４は共通円筒状外部壁１０６及び共通分離壁１０８を共有する。エアロゾルマニホールド１１０は端壁１１２を通して試験室１０２と連通している。
【００２４】
変換器ブロック１３０は円筒状壁１０６の外表面上に取り付けられており、分離壁１０８にまたがっている。第一開口部１３２がブロック１３０を通して試験室１０２と連通するように延びており、一方第二開口部１３４が参照室１０４と連通するようにブロック１３０を通して延びている。
【００２５】
壁１０６の上部に取り付けられた試験室呼吸タコメータ１４０はスクリーン１４４を通して試験室１０２と連通している空気流開口１４２を含む。呼吸タコメータ１４０に隣接して壁１０６の上部に取り付けられた参照室呼吸タコメータ１４６はスクリーン１５０を通して参照室１０４と連通している空気流開口１４８を含む。
【００２６】
呼吸タコメータ１４０及び１４６は共通マニホールドハウジング１５２により覆われており、このハウジングは両呼吸タコメータの開口と連通している内部空気通路を含む。ハウジング１５２は外部空気流開口１５４を含む。外部空気は開口１５４を通してハウジング１５２の通路中に、かつこの通路から呼吸タコメータ１４０及び１４６の開口中に引き込まれる。結果として、如何なる変動も両室に等しく伝達される。更に、この通路は乱流を最少とする助けをする非乱流帯域を作る傾向がある。
【００２７】
図６及び７は第三実施態様を示し、そこでは概括的に１６０で示されたマニホールドがプラスチックまたは他の材料の固体ブロックから形成されており、それは呼吸タコメータ凹所１６２及び１６４、凹所１６２及び１６４中に挿入された呼吸タコメータの開口と連通する第一通路１６６、及び凹所１６２と１６４の間の等距離で通路１６６と連通している内端部を持つ第二通路１６８、及び外部空気流開口１７０を形成する外部端を穿孔されている。
【００２８】
図８は変換器電圧／時間尺度で、本発明の減衰効果をグラフで示し、減衰された呼吸タコメータ（Ｂ）に対する非減衰呼吸タコメータ（Ａ）からのノイズを比較している。
【００２９】
先の説明を読むと、当業者にはある変更及び改良が生じるであろう。例えば、試験及び参照室は互いに関して異なるように配置されることができ、共通壁により分離される必要がない。この装置はまた、プレチスモグラフに共通の他の要素を含むことができる。全てのかかる変更及び改良はここでは簡潔さと読みやすさのために削除されたが、特許請求の範囲の範囲内で適正であることは理解されるべきである。
【図面の簡単な説明】
【００３０】
【図１】本発明の好適実施態様の透視図である。
【図２】図１の実施態様の断面側面図である。
【図３】増幅器を通して記録装置に取り付けられたプレチスモグラフ変換器の概略図である。
【図４】本発明の別の実施態様の透視図である。
【図５】図４の実施態様の断面側面図である。
【図６】本発明のさらに別の実施態様の上面図である。
【図７】図６に示されたマニホールドの側面図である。
【図８】減衰効果を示す調整された呼吸タコメータのグラフである。
【図１】
2007500067.tif 000003
【図２】
2007500067.tif 000004
【図３】
2007500067.tif 000005
【図４】
2007500067.tif 000006
【図５】
2007500067.tif 000007
【図６】
2007500067.tif 000008
【図７】
2007500067.tif 000009
【図８】
2007500067.tif 000010
【手続補正書】
【提出日】平成17年4月6日(2005.4.6)
【手続補正１】
【補正対象書類名】特許請求の範囲
【補正対象項目名】全文
【補正方法】変更
【補正の内容】
【特許請求の範囲】
【請求項１】
ノイズの少ない肺データを小動物から差圧変換器へ伝達するためのプレチスモグラフであって：
ａ）小動物を収容するための、空気流開口を備えた第一呼吸タコメータと第一変換器開口部を持つ試験室；
ｂ）空気流開口を備えた第二呼吸タコメータと第二変換器開口部を持つ参照室、但し前記第一及び第二変換器開口部は前記差圧変換器と連通するのに適合している；及び
ｃ）前記第一及び第二空気流開口と連通しているマニホールド、
を含み、前記マニホールドが外部空気流開口、及び前記外部空気流開口を前記第一及び第二空気流開口に連結する通路を持ち、更に両方の呼吸タコメータに入る空気が前記外部空気流開口を通して入り、それにより前記伝達されるデータのノイズを減らすことを特徴とするプレチスモグラフ。
【請求項２】
前記マニホールドが前記第一及び第二空気流開口を覆うハウジングを含み、前記ハウジングが外部空気流開口及び前記外部空気流開口と前記第一及び第二空気流開口の間の通路を含むことを特徴とする請求項１に記載のプレチスモグラフ。
【請求項３】
前記マニホールドが前記第一空気流開口と連通している第一通路、及び前記第二空気流開口と連通している第二通路を含み、前記第一及び第二通路が共通外部空気流開口と連通していることを特徴とする請求項１に記載のプレチスモグラフ。
【請求項４】
前記二つの通路が実質的に同じ長さのものであることを特徴とする請求項３に記載のプレチスモグラフ。
【請求項５】
前記試験室と連通している第一変換器出口、及び前記参照室と連通している第二変換器出口を更に含むことを特徴とする請求項１に記載のプレチスモグラフ。
【請求項６】
前記試験室と前記参照室を分離する共通壁を更に含むことを特徴とする請求項１に記載のプレチスモグラフ。
【請求項７】
前記試験室が円筒状であることを特徴とする請求項１に記載のプレチスモグラフ。
【請求項８】
前記試験室と連通しているエアロゾルマニホールドを更に含むことを特徴とする請求項１に記載のプレチスモグラフ。
【請求項９】
ノイズの少ない肺データを小動物から差圧変換器へ伝達するためのプレチスモグラフであって：
ａ）円筒状外壁；
ｂ）前記円筒状外壁を小動物を収容するための試験室と参照室に分割する共通分離壁、但し前記試験室と参照室は前記差圧変換器と連通するのに適合した変換器開口部を持っている；
ｃ）前記試験室と連通している空気流開口を持つ第一呼吸タコメータ；
ｄ）前記参照室と連通している空気流開口を持つ第二呼吸タコメータ；及び
ｅ）前記第一及び第二呼吸タコメータの空気流開口と連通しているマニホールド；
を含み、前記マニホールドが外部空気流開口、及び前記外部空気流開口を前記二つの呼吸タコメータの二つの開口に連結する通路を持ち、更に両方の呼吸タコメータに入る空気が前記外部空気流開口を通して入り、それにより前記伝達されるデータのノイズを減らすことを特徴とするプレチスモグラフ。
【請求項１０】
前記マニホールドが前記二つの呼吸タコメータを覆うハウジングを含み、前記ハウジングが外部空気流開口及び前記外部空気流開口と前記二つの呼吸タコメータの二つの開口の間の通路を含むことを特徴とする請求項９に記載のプレチスモグラフ。
【請求項１１】
前記マニホールドが前記第一の呼吸タコメータの開口と連通している第一通路、及び前記第二の呼吸タコメータの開口と連通している第二通路を含み、前記第一及び第二通路が共通外部空気流開口と連通していることを特徴とする請求項９に記載のプレチスモグラフ。
【請求項１２】
前記二つの通路が実質的に同じ長さのものであることを特徴とする請求項１１に記載のプレチスモグラフ。
【請求項１３】
前記試験室と連通している第一変換器出口、及び前記参照室と連通している第二変換器出口を更に含むことを特徴とする請求項９に記載のプレチスモグラフ。
【請求項１４】
ノイズの少ない肺データを小動物から差圧変換器へ伝達するためのプレチスモグラフであって、それが：
ａ）垂直円筒状外壁；
ｂ）前記円筒状外壁を小動物を収容するための試験室と参照室に分割する共通分離壁、但し前記試験室と参照室は前記差圧変換器と連通するのに適合した変換器開口部を持っている；
ｃ）前記円筒状外壁を覆う上部壁；
ｄ）前記上部壁に取り付けられた、前記試験室と連通している第一呼吸タコメータ；
ｅ）前記上部壁に取り付けられた、前記参照室と連通している第二呼吸タコメータ；及び
ｆ）外部空気入口、前記外部空気入口を前記第一呼吸タコメータに連結する第一通路、及び前記外部空気入口を前記第二呼吸タコメータに連結する第二通路を持つマニホールド；
を含み、更に両方の呼吸タコメータに入る空気が前記外部空気流開口を通して入り、それにより前記伝達されるデータのノイズを減らすことを特徴とするプレチスモグラフ。
【請求項１５】
前記二つの通路が実質的に同じ長さのものであることを特徴とする請求項１４に記載のプレチスモグラフ。
【請求項１６】
前記試験室と連通している第一変換器出口、及び前記参照室と連通している第二変換器出口を更に含むことを特徴とする請求項１４に記載のプレチスモグラフ。
【請求項１７】
ノイズの少ない肺データを小動物から差圧変換器へ伝達するためのプレチスモグラフであって：
ａ）水平な円筒状外壁；
ｂ）前記円筒状外壁を小動物を収容するための試験室と参照室に分割する共通分離壁、但し前記試験室と参照室は前記差圧変換器と連通するのに適合した変換器開口部を持っている；
ｃ）前記円筒状外壁に取り付けられた、前記試験室と連通している第一呼吸タコメータ；
ｄ）前記円筒状外壁に取り付けられた、前記参照室と連通している第二呼吸タコメータ；及び
ｅ）前記第一及び第二呼吸タコメータを覆うハウジング；
を含み、前記ハウジングが外部空気入口、及び前記外部空気入口を前記第一及び第二呼吸タコメータに連結する通路を持ち、更に両方の呼吸タコメータに入る空気が前記外部空気流開口を通して入り、それにより前記伝達されるデータのノイズを減らすことを特徴とするプレチスモグラフ。
【請求項１８】
前記試験室と連通している第一変換器出口及び前記参照室と連通している第二変換器出口を更に含むことを特徴とする請求項１７に記載のプレチスモグラフ。
【国際調査報告】
2007500067.tif 000011